(57)【特許請求の範囲】
【請求項１】
熱伝導性を有する基台と、該基台上に設けた光源と、該基台の前記光源を設けた側において前記光源から水平方向に離れる方向に間隔をおいて複数配置された放熱フィンと、を有しており、
前記放熱フィンは、前記基台から離れる方向へ伸びる板状であり、その前記基台から離れた側の先端に前記光源からの光を照射方向へ向けて反射するよう傾斜した反射面が形成されており、前記放熱フィンの根元近傍において隣り合う前記放熱フィンとの間の空間と、照射方向前方の空間とが連通しており、
前記光源側の放熱フィンとその外側とで隣り合う放熱フィンに形成された夫々の反射面は、前記光源側に位置する前記反射面の上縁と、その外側に位置する前記反射面の下縁とを結んだ仮想直線の上下方向における傾斜角度が、前記光源から出射して、前記外側に位置する反射面の下縁に入射する光の上下方向における入射角度と同じであることを特徴とする照明装置。
【請求項２】
前記各放熱フィンが、前記光源を囲む環状に形成されていることを特徴とする請求項１に記載の照明装置。
【請求項３】
前記基台に、水平方向熱拡散手段が設けられていることを特徴とする請求項１または２のいずれかに記載の照明装置。
【発明の詳細な説明】
【技術分野】
【０００１】
本発明は、放熱構造を有し、主に上方へ光を照射するための照明装置に関する。
【背景技術】
【０００２】
近年照明装置の光源として注目されるＬＥＤやＬＤ等の半導体発光素子はますます高輝度、高出力化されるとともに、発光時に発生する熱が増大している。そのため従来から、半導体発光素子から発せられた熱を外部に放熱するための放熱部材として、複数のフィンを設けて表面積を増大させた照明装置が知られている。例えば、特許文献１には、照明装置において発光素子の発光時に発せられた熱が高熱伝導部材を含む支柱を伝わって逃がされて、リフレクタの後方において支柱に取付けられた放熱フィンから放熱されることについて記載されている。
【０００３】
一方で、光源からの熱を放熱するための放熱部材を設けること、あるいは放熱部材を大型化することで、小型の光源であるＬＥＤ等の半導体発光素子を用いながらも、照明装置全体が大形化してしまうという問題がある。このため、特にＬＥＤ等の半導体発光素子を光源とする照明装置においては、半導体発光素子の熱を効率よく放熱させて発光効率の低下が防止されるとともに、小型化された照明装置の実現が重要課題となっている。
【０００４】
このような課題に対して、例えば、特許文献２においては、放熱するためのスペースを別途確保しなくとも、光源から発せられた熱を好適に放出するために、リフレクタの光反射面に複数の凹部又は凸部を形成して、該光反射面の表面積を広く確保することについて記載されている。
【先行技術文献】
【特許文献】
【０００５】
【特許文献１】特開２００４−２０６９４７号公報
【特許文献２】特開２００６−２０２６１２号公報
【発明の概要】
【発明が解決しようとする課題】
【０００６】
しかしながら、特許文献２においては、図６に示すように、複数の凹部又は凸部３００がリフレクタ４００の内面（光源２００からの光を上方へ反射する光反射面）に形成されているため、リフレクタ４００の表面積を増やすために凹部又は凸部３００の大きさ（高さ）を大きくするほど、凹部又は凸部３００が照明装置１００の配光に及ぼす影響も大きくなる。一般的に照明装置の反射面は高精度の配光設計が必要とされることから、特許文献２の構成において、配光に悪影響を及ぼさないように、放熱に十分な程度に表面積を確保する（凹部又は凸部３００を大きくする）ことは非常に難しいという問題があった。
【０００７】
本発明は、上記従来技術の問題点に鑑みてなされたものであり、照明装置を大型化することなく、また照明装置の配光に悪影響を及ぼすことなく、放熱性能を高めた照明装置を提供することを目的とする。
【課題を解決するための手段】
【０００８】
本発明は、熱伝導性を有する基台と、該基台上に設けた光源と、該基台の前記光源を設けた側において前記光源から水平方向に離れる方向に間隔をおいて複数配置された放熱フィンと、を有しており、前記放熱フィンは、前記基台から離れる方向へ伸びる板状であり、その前記基台から離れた側の先端に前記光源からの光を照射方向へ向けて反射するよう傾斜した反射面が形成されており、前記放熱フィンの根元近傍において隣り合う前記放熱フィンとの間の空間と、照射方向前方の空間とが連通しており、前記光源側の放熱フィンとその外側とで隣り合う放熱フィンに形成された夫々の反射面は、前記光源側に位置する前記反射面の上縁と、その外側に位置する前記反射面の下縁とを結んだ仮想直線の上下方向における傾斜角度が、前記光源から出射して、前記外側に位置する反射面の下縁に入射する光の上下方向における入射角度と同じであることを特徴とするものである。
【０００９】
上記のように構成することで、前記光源から発せられた熱は、前記基台を介して複数の前記放熱フィンへ伝導し、前記放熱フィンから前記照明装置上方の空間へ放出される。また、熱（暖かい空気）は上方へと対流していくことから、本発明は放熱フィンが上方に延びていることにより、効率よく放熱することができる。また、前記光源から出射された光は、前記放熱フィンの先端に形成された前記反射面に入射し、反射されて上方へ照射される。このように、放熱フィン自体が光反射機能を兼ねることができるため、リフレクタ等の光学部品の点数を削減することができる。また、上記のように構成することで、前記光源から水平方向へ出射した光は光量をロスすることなく前記反射面に入射し、上方へ向けて反射される。詳細には、隣り合う前記反射面の間（非有効反射領域）に光源からの光が入射することによる光量の損失が防がれるため、照明装置としての光利用効率を低下させることなく放熱性を向上させることができる。
【００１０】
また、本発明は、前記各放熱フィンが、前記光源を囲む環状に形成されていることを特徴とするものである。
【００１１】
上記のように構成することで、前記光源から水平方向へ出射した光は光量をロスすることなく前記反射面に入射し、上方へ向けて反射される。詳細には、隣り合う前記反射面の間（非有効反射領域）に光源からの光が入射することによる光量の損失が防がれるため、署名装置としての光利用効率を低下させることなく放熱性を向上させることができる。
【００１４】
また、本発明は、前記基台に、水平方向熱拡散手段が設けられていることを特徴とすることを特徴とするものである。
【００１５】
上記のように構成することで、前記光源から発せられた熱は、前記基台に設けられた前記水平方向熱拡散手段によって、効率的に水平方向へ向けて放射状に拡散されるため、基台を介してより効率良く熱を前記放熱フィンへ伝導させることができ、さらに放熱性能を向上させることができる。
【発明の効果】
【００１６】
本発明によれば、照明装置の配光に影響を及ぼすことなく、光源から発せられた熱を効率よく外空間に放熱することができるとともに、照明装置を小型化することが可能となる。
【図面の簡単な説明】
【００１７】
【図１】第一の実施形態である照明装置を示した側部断面図である。
【図２】図１の照明装置における基台および放熱フィンを示す図である。
【図３】図１の照明装置における反射面の説明図である。
【図４】第二の実施形態である照明装置を示した側部断面図である。
【図５】第三の実施形態である照明装置を示した側部断面図である。
【図６】従来の照明装置を示す図である。
【発明を実施するための最良の形態】
【００１８】
まず、本発明の第一の実施形態について、図１および図２、図３を参照して説明する。図１は第一の実施形態である照明装置を示した側部断面図である。また、図２は図１における基台および放熱フィンを示す図であり、（Ａ）は斜視図、（Ｂ）は上面視図である。尚、図１は図２（Ｂ）に示すＡ−Ａ´線における断面図である。図３は図１の照明装置における反射面の説明図であり、（Ａ）は仮想線Ｌ２の説明図、（Ｂ）は光線Ｌの説明図である。
【００１９】
図１に示されるように、第一の実施形態における照明装置１は、基台４と、該基台４上に設けられた基板３と、基板３上に実装された発光素子２と、該基台４上において前記発光素子２を囲むように複数配置された放熱フィン５とで構成されている。
【００２０】
光源である発光素子２は、その光軸Ａｘが上方（照明装置１の照射方向）へ向くように基板３上に実装されている。基板３は例えばアルミニウムや銅等の熱伝導率の高い部材により形成されている。尚、発光素子２は基台４上に直接実装されていてもよい。発光素子２には例えばＬＥＤなどの点状光源を用いる。
【００２１】
基台４は、基板３または発光素子２の下に配設されており、例えばアルミニウムや銅等の熱伝導率の高い部材により形成されている。基台４は、発光素子２から発せられた熱を放熱フィン５に伝導する機能を有する。基台４は上方に開口する椀状に形成されているが、平板状に形成してもよい。
【００２２】
図２に示されるように、放熱フィン５は、基台４上に上方へ向けて複数突設されており、それぞれ上方に伸びる筒状に形成されている。各放熱フィン５は発光素子２から水平方向に離れる方向に所定の間隔を有して配置した板状部材であり互いに平行に伸びている。また各放熱フィン５は、発光素子２からの距離が遠くなるにしたがって、各放熱フィン５の先端の位置が徐々に高くなるように、形成されている。また、放熱フィン５は、熱伝導性を有する金属、例えばアルミニウム等の部材で形成されており、基台４と一体に形成されていることが好ましい。
【００２３】
また、放熱フィン５の基台４と反対側の先端は、発光素子２側が下になるように内側に傾斜する傾斜面に形成されている。この傾斜面は、発光素子２から出射した光を直接反射可能な角度とした反射面５１として形成されている。該反射面５１は各放熱フィン５の先端に個別に形成された傾斜面に、アルミ蒸着や研磨等の高反射表面処理を施すことで形成されている。
【００２４】
各反射面５１は、それぞれ発光素子２を焦点とする放物面系反射面である。そのため、発光素子２から受けた光を上方へ平行光として反射する。
【００２５】
また、図１に示すように、各放熱フィン５の根元近傍において隣り合う各放熱フィン５の間の空間Ｃと、照明装置１の上側の空間Ｄとは連通している。このように構成することで、各放熱フィン５の表面積を最大限確保できるとともに、下方から上方へ対流による放熱性が向上する。
【００２６】
発光素子２から発せられた熱は、基板３から基台４を介して各放熱フィン５へ伝導され、放熱フィン５から照明装置１の上方の空気中に効率よく放熱される。
【００２７】
また、図１に示すように、発光素子２から出射された光のうち放熱フィン５の方向へ向けて出射された光は、反射面５１に入射し、反射面５１によって上方（照明装置１の照射方向）へ向けてそれぞれ反射される。
【００２８】
また、図３を参照して、反射面５１の好適な構成について説明する。発光素子２の周囲を取り囲む最も内側の第１放熱フィン５ａと該第１放熱フィン５ａの隣の第２放熱フィン５ｂの先端に形成された各反射面５１、即ち、反射面５１ａと反射面５１ｂとの関係において、図３の（Ａ）に二点鎖線にて示す反射面５１ａの上縁と反射面５１ｂの下縁とを結ぶ仮想線Ｌ２の側面視における傾斜角度と、図３の（Ｂ）にて破線で示す発光素子２から前記外側反射面５１ｂの下縁に入射する光線Ｌの上下方向（側面視）における傾斜角度とが、同じ角度となるように各反射面５１が構成されている。また、第２放熱フィン５ｂの外側の隣の第３放熱フィン５ｃも、第２放熱フィン５ｂと同様に反射面が構成されている
【００２９】
そのため、発光素子２から出射されて放熱フィン５に向かう光のうち、複数の放熱フィン５の方向へ向かう殆どの光は、各反射面５１に入射して照射方向（上方）へ向けて反射される。よって、各反射面５１（各放熱フィン５）の間の非有効反射領域には殆ど光が入射しない。そのため、本構成としたことによって、照明装置１の光利用効率は殆ど低下しない。
【００３０】
尚、放熱フィン５の先端のうち反射面５１でない部分に平面部５２を有しているが、これは傾斜面である反射面５１を形成することで放熱フィン５の先端が鋭角になって欠けやすくなることを避けるために残してある肉厚部分の先端面である。
【００３１】
次に、本発明の第二の実施形態について、図４を参照して説明する。図４は第二の実施形態である照明装置を示した側部断面図である。
【００３２】
第二の実施形態における照明装置１は、図４に示されるように、基台４と、該基台４上に設けられた基板３と、該基板３上に実装された発光素子２と、基台４上において前記発光素子２を囲むように複数配置された放熱フィン５と、基台４に設けられたヒートパイプ７とから構成されている。
【００３３】
基板３、発光素子２、放熱フィン５については第一の実施形態と同様の構成であるが、第一の実施形態とは、基台４にヒートパイプ７が設けられている点で異なる。
【００３４】
ヒートパイプ７は、基台４内における発光素子２の下方から放熱フィンの下方に亘って配置されており、発光素子２から発せられて基板３および基台４を介してヒートパイプ７に伝えられた熱を水平方向に向けて放射状に拡散させる。熱伝導の経路は図３に示す矢印のとおりである。これにより、放熱フィン５への熱伝導率が格段に向上されるため、照明装置１の放熱性能をより高めることができる。尚、ヒートパイプ７は、基台４の上面または下面に取り付けられていてもよい。
【００３５】
第三の実施形態について、図５を参照して説明する。図５は第三の実施形態である照明装置を示した側部断面図である。
【００３６】
第二の実施形においては、水平方向に熱を拡散させる手段として、ヒートパイプ７を用いたが、該ヒートパイプ７の代わりに、図５に示すように、基台４における発光素子２の下方に、発光素子５の光軸Ａｘ方向（上方向）に回転軸を有するファン８を配置する。ファン８を回転させることで、ファン８は発光素子２から基板３を介して基台４に伝えられた熱（空気）を上方から吸い込み、水平方向に向けて放射状に拡散させるよう放出することで放熱フィン５への熱伝導率を向上させる。
【００３７】
なお、第二、第三の実施形態においても、第一の実施形態と同様に発光素子２が基台４上に直接実装されていてもよい。
【００３８】
また、第一から第三の実施形態においては、発光素子２から出射された光を直射光または放物面系の反射面５１による１回反射で上方へ平行光として照射する光学系を例に説明したが、例えば、発光素子２上に他のリフレクタや光学レンズを付加する、反射面５１を他の光学反射面とする等、用途に合わせた光学制御を行ってもよい。
【００３９】
なお、この発明は、上記実施形態そのままに限定されるものではなく、上記実施形態に開示されている複数の構成要素を適宜組み合せて種々の発明を構成することができる。例えば、実施形態に示される全構成要素から幾つかの構成要素を削除してもよく、更に、異なる実施形態に亘る構成要素を適宜組み合せてもよい。
【産業上の利用可能性】
【００４０】
本発明の照明装置は、屋外用照明、屋内用照明、車両用照明などに好適に用いることができる。特には、スポットライト照明、ビームライト照明、ライトアップ照明等のスポット的な照射の用途がある照明装置に用いる。
【符号の説明】
【００４１】
１        照明装置
２        発光素子
３        基板
４        基台
５        放熱フィン
５ａ      第１放熱フィン
５ｂ      第２放熱フィン
５ｃ      第３放熱フィン
５１      反射面
５１ａ    反射面
５１ｂ    反射面  
５２      平面部  
７        ヒートパイプ
８        ファン
Ａｘ      光軸
Ｃ、Ｄ    空間
Ｌ        光線
Ｌ２      仮想線
１００    照明装置
２００    光源
３００    凹部、凸部
４００    リフレクタ  
【図１】
0005955594.tif 000002
【図２】
0005955594.tif 000003
【図３】
0005955594.tif 000004
【図４】
0005955594.tif 000005
【図５】
0005955594.tif 000006
【図６】
0005955594.tif 000007